【事件の表示】
　特願２０００−１７０１３６号「管球用ソケット」拒絶査定不服審判事件〔平成１３年１２月２１日出願公開、特開２００１−３５１７５４号〕について、次のとおり審決する。
【結　論】
　本件審判の請求は、成り立たない。
【理　由】
１．手続の経緯・本願発明
　本願は平成１２年６月７日の出願であって、その請求項１に係る発明は、平成１４年１２月１０日付け手続補正書により補正された特許請求の範囲の請求項１に記載された事項により特定される次のとおりのものである。
「雄ねじからなるシェル部を有する管球の口金が挿入される管球用ソケットであって、筒状の絶縁部材からなるソケット本体部と、このソケット本体部の内部に設けられ、かつ前記口金と接続される受け部とを備え、前記受け部が、その内面に前記シェル部と接続される雌ねじ部が形成された導電性樹脂からなる第１端子部と、前記口金の先端部のアイレット部と接続される導電性樹脂からなる第２端子部と、前記第１端子部と前記第２端子部とを絶縁するための絶縁部とで構成され、かつ、前記ソケット本体部と、前記受け部とが一体成形された複合部品であることを特徴とする管球用ソケット。」（以下、「本願発明」という。）
　
２．引用例
２−１．引用例１
　これに対して、原査定の拒絶の理由に引用された実願昭５７−１４１２７２号（実開昭５９−４５８８６号）のマイクロフィルム（以下、「引用例１」という。）には、「電球用ソケット」に関して以下の事項が図面とともに記載されている。
ア．「磁器成形のカップ状ソケット本体１の内側底面には、電球の一方の電極を形成するネジ込式口金を、ソケット本体１の内周面において取外し可能に取付けるための受金２が、ソケット本体１外側底面の外部配線用一方の端子３とともにネジ４とバネ座金５及びネジ４と押え板６を介して取付けられ、かつ、ソケット本体１内側底面の隔壁７を形成しての窪み８には、電球の他方の電極を形成するとともに電球の口金先端部に口金と絶縁した状態で取付けられた止金と接触する中心接触片９が、ソケット本体１外側底面の外部配線用他方の端子１０とともにネジ４とバネ座金５を介して取付けられ、この取付状態で中心接触片９の前記止金との当接部は、ソケット本体１の内側底面に形成した離隔台１１上に位置するとともに、該離隔台１１に形成された窪み１２には中心接触片９の復帰力を補助するためのコイルバネ１３が挿入されている。」（第２頁第１６行〜第３頁第１３行）
イ．「このように形成されたソケット１４の中心接触片９と受金２とは、ソケット本体１の内側底面において磁器製離隔台１１を介して十分に絶縁耐力が確保され、又、ソケット本体１の内周面においても磁器製隔壁７によって十分に絶縁耐力が確保されていることもあって、ソケット１４に高圧ランプを取付けても中心接触片９と受金２間に絶縁破壊を発生させることなく十分に余裕をもって使用することができ、これを、外形形状が同一の従来ソケットと本実施例ソケット１４との耐圧テストを実施した結果、従来ソケットは2500〜3000Ｖが限度であるのに対して本実施例のソケット１４は8600〜9000Ｖまで耐えることができた。」（第３頁第１４行〜第４頁第６行）
　
　ソケット本体１の受金２の内面には、電球のネジ込式口金の雄ネジに螺合する雌ネジ部を備えているのが通常であり、第２図における受金２の等間隔の斜線は雌ネジ部を示しているものと認められる。
　
　してみると、引用例１には、
「電球のネジ込式口金が挿入される電球用ソケット１４であって、磁器成形のカップ状ソケット本体１と、このソケット本体１の内周面においてネジ込式口金を取外し可能に取付けるための受金２がソケット本体１に取付けられ、受金２には、電球の一方の電極を形成するネジ込式口金がネジ込まれる雌ネジ部が形成されており、ソケット本体１内側底面には、電球の他方の電極を形成する、電球の口金先端部に口金と絶縁した状態で取付けられた止金と接触する中心接触片９が取り付けられ、受金２の雌ネジ部と中心接触片９とは磁器製離隔台１１を介して絶縁性が確保されている電球用ソケット。」（以下、「引用発明」という。）が記載されている。
　
２−２．引用例２
　同じく、原査定の拒絶の理由に引用された実願平３−５２４６１号（実開平５−６７１６号）のＣＤ−ＲＯＭ（以下、「引用例２」という。）には、「導電性合成樹脂製電気回路の端子取付構造」に関して以下の事項が図面とともに記載されている。
ウ．「５は絶縁性材質からなるスイッチレバーで、このスイッチレバー５のほぼ中央を前記ハウジング１にリベット５ａにより回動可能に取付ける。このスイッチレバー５の一端に導電性のボール５ｂを転動自在に装着する。
  ６ａ，６ｂ，６ｃ，６ｄは導電性の第１，第２，第３，第４のスイッチ用コンタクトで、この４個のコンタクト６ａ，６ｂ，６ｃ，６ｄを前記ハウジング１のほぼ中央部に、前記スイッチレバー５の一端の円軌跡上に等間隔に前記スイッチレバー５のボール５ｂと接触するように取付ける。
図５において、図中７ａおよび７ｂは第１，第２のコードで、この第１コード７ａの両端を前記第２のコンタクト６ｂと前記１枚のバルブホルダ３とにそれぞれ接続する。一方、第２コード７ｂの一端を前記第１コンタクト６ａに接続し、この第２コード７ｂの他端にターミナル８を接続する。９は前記第２コンタクト６ｂと第３コンタクト６ｃとを接続する導電性の接続板である。
  上記図５の従来例は第１のコード７ａおよび第２のコード７ｂを取り付けて組み立てるので、組立所要工数が大きく、配線ミスを生じるおそれが有る。前記のコード７ａ，７ｂに代えて打抜き金属板で構成された導電部材（図示省略）を用いたものも公知公用であるが、コードを用いたものと同様の不具合が有る。」（第４頁第２０行〜第５頁第６行）
エ．「こうした不具合を解消して、組立が簡単で自動化に適し、配線ミスを生じるおそれの無い配線構造として図６に示すような、導電性合成樹脂で作られた導電部材をランプハウジング１′にインサート成形した構成が公知である。この公知例（図６）は、図５に示した従来例の車両用灯具の電気回路を導電性プラスチック製の導電部材（斑点を付して示す）１０ａ，１０ｂ，１０ｃで置き替えた構造である。
　１′はランプハウジングで、前記従来例（図５）におけるランプハウジング１に対応する類似の部材である。係合爪１ｂ，レンズ２，バルブホルダ３，バルブ４，スイッチレバー５，リベット５ａ，およびボール５ｂは前記従来例（図５）におけると同様ないし類似の構成部材である。本公知例（図６）においては、導電性プラスチックで作られた導電部材１０ａ，同１０ｂ，同１０ｃがボール５ｂの軌跡円弧に対向して配列されるとともに、導電部材１０ｂの一端がタッピングスクリュー１１によってバルブホルダ３に接続されている。
　上記の導電部材１０ａ，１０ｂ，１０ｃは、図７に示すような形状であり、導電性プラスチックによって予め１次成形品として射出成形されている。そして、上記導電部材１０ａ，１０ｂ，１０ｃを図示しない金型の中にインサートして、電気絶縁性の合成樹脂によりハウジング１′が成形される。」（第５頁第７行〜第５頁第２３行）
　
３．対比
　本願発明と引用発明とを対比すると、後者の「電球」、「磁器成形のカップ状ソケット本体１」、「受金２」、「中心接触片９」、「電球用ソケット１４」は、その機能・構成からみて、それぞれ前者の「雄ねじからなるシェル部を有する管球」、「筒状の絶縁部材からなるソケット本体部」、「『受け部』を構成する『第１端子部』」、「『受け部』を構成する『第２端子部』」、「管球用ソケット」に相当する。
　また、引用発明においては、電球の一方の電極を形成するネジ込式口金がネジ込まれる、受金２の雌ネジ部と、電球の他方の電極を形成する、電球の口金先端部に口金と絶縁した状態で取付けられた止金と接触する中心接触片９とを、磁器製離隔台１１を介して絶縁しているので、引用発明の「磁器製離隔台１１」は、本願発明の、「『受け部』を構成する『第１端子部と第２端子部とを絶縁するための絶縁部』」に相当すると認められる。
　
　したがって、両者は本願発明の用語を用いて表現すると、
「雄ねじからなるシェル部を有する管球の口金が挿入される管球用ソケットであって、筒状の絶縁部材からなるソケット本体部と、このソケット本体部の内部に設けられ、かつ口金と接続される、その内面にシェル部と接続される雌ねじ部が形成された、受け部を構成する第１端子部を備え、口金の先端部のアイレット部と接続される、受け部を構成する第２端子部と、受け部を構成する第１端子部と第２端子部とを絶縁するための絶縁部とで構成された、管球用ソケット。」の点で一致し、次の点で相違する。
　
＜相違点＞
　その内面にシェル部と接続される雌ねじ部が形成された、受け部を構成する第１端子部と、口金の先端部のアイレット部と接続される、受け部を構成する第２端子部は、本願発明では導電性樹脂からなり、その上、本願発明は、ソケット本体部と、「その内面にシェル部と接続される雌ねじ部が形成された、受け部を構成する第１端子部と、口金の先端部のアイレット部と接続される、受け部を構成する第２端子部と、受け部を構成する第１端子部と第２端子部とを絶縁するための絶縁部」とからなる受け部とが一体成形された複合部品であるのに対して、
　引用発明では、雌ねじ部が形成された、受け部を構成する第１端子部と、口金の先端部のアイレット部と接続される、受け部を構成する第２端子部とは共に電極の機能を果たすから、導電性の部材であるものの、導電性樹脂であるかは不明であり、その上、引用発明は、ソケット本体部と、「受け部を構成する第１端子部と、受け部を構成する第２端子部と、受け部を構成する第１端子部と第２端子部とを絶縁するための絶縁部」からなる部品を組み立てて管球用ソケットを構成する点。
　
４．判断
　次に相違点について、検討する。
＜相違点について＞
　引用例２において、２−２エ．の記載から、図６，図７に記載されたものは、図５の従来例の車両用灯具の電気回路を、導電性プラスチック製の導電部材１０ａ，１０ｂ，１０ｃで置き換えた構造であり、図５の４個のスイッチ用コンタクト６ａ，６ｂ，６ｃ，６ｄも含めて、導電性プラスチック製の導電部材１０ａ，１０ｂ，１０ｃで置き換えた構造であることが把握される。図５についての記載、２−２ウ．に「６ａ，６ｂ，６ｃ，６ｄは導電性の第１，第２，第３，第４のスイッチ用コンタクトで、この４個のコンタクト６ａ，６ｂ，６ｃ，６ｄを前記ハウジング１のほぼ中央部に、前記スイッチレバー５の一端の円軌跡上に等間隔に前記スイッチレバー５のボール５ｂと接触するように取付ける。」とあり、図５のコンタクト６ａ，６ｂ，６ｃ，６ｄは、スイッチレバー５のボール５ｂと接触することにより、スイッチ用コンタクトとして端子部を構成していると認められるので、引用例２には、端子部も導電性樹脂で形成していることが記載されているものと認められる。
　上記したように、導電性樹脂を電気回路や端子部に用いることが引用例２に記載されているので、引用発明の、受け部を構成する第１端子部と、受け部を構成する第２端子部とを導電性樹脂で形成することは当業者であれば容易になし得ることである。
　更に、受け部を構成する第１端子部と、受け部を構成する第２端子部とを導電性樹脂で形成することに際し、ソケット本体部と、「その内面にシェル部と接続される雌ねじ部が形成された、受け部を構成する第１端子部と、口金の先端部のアイレット部と接続される、受け部を構成する第２端子部と、受け部を構成する第１端子部と第２端子部とを絶縁するための絶縁部」とからなる受け部とを一体成形された複合部品とすることは、電気部品において、絶縁性樹脂製のソケット本体部と導電性樹脂の端子部とを一体成形した複合部品とすることが周知の技術（必要ならば、特開平３−１６３７７６号公報、特開昭６３−３２８８１号公報参照）であることから、当業者であれば容易に想到し得ることである。
　
　そして、相違点による特定事項によって奏するという明細書記載の効果も、引用発明、引用例２に記載された発明及び周知技術から当業者であれば予測できる範囲内のものであって、格別なものとはいえない。
　
５．むすび
　したがって、本願発明は引用発明、引用例２に記載された発明及び周知技術に基づいて当業者が容易に発明をすることができたものであるから、特許法第２９条第２項の規定により特許を受けることができない。
　よって、結論のとおり審決する。